(57)【要約】      （修正有）【課題】鉢植え植物の包装に関し、比較的安価に製造でき、包装の容易性、保護機能、持ち運び機能を備えたラッピングシートを提供する。【解決手段】上方に拡開した筒状の形状を有するラッピングシート1は、鉢10に対応した部分に位置する下方部分の一側部と他側部にスリット12とリップ14が形成され、リップ14をスリット12に差し込むことで立体形状になる。リップ14の上端部および下端部の基部に第１、第２の切れ込み1が形成され、この切れ込みによって筒状の形状が保持される。上方部分４の上部には指係合部22が形成されている。また、下方部分2と上方部分4との間に周方向に延びるミシン目6が形成され、このミシン目6を切り離すことで上方部分4を取り去ることができる。【選択図】図２
2013136413.tif 000002
【特許請求の範囲】
【請求項１】
鉢植え植物用の上方に向けて拡開した鉢を受け入れることのできる筒状のラッピングシートであって、
上方に拡開した筒状の形状を有し、
前記鉢の上端縁から拡開しながら上方に延びて植物の周囲を包囲する上方部分と、
前記鉢に対応して位置し、上方に向けて拡開する形状を有する下方部分とを有し、
前記上方部分と前記下方部分との間に、周方向に延びる易切断線が設けられ、
前記上方部分の上部に、指を係合させることのできる指係合部が形成されていることを特徴とする鉢植え植物用のラッピングシート。
【請求項２】
鉢植え植物用の上方に向けて拡開した鉢の内面形状と相補的な立体形状を作ることのできるラッピングシートであって、
前記鉢の上端縁から拡開しながら上方に延びて植物の周囲を包囲することのできる上方部分と、
前記鉢に対応して位置し、上方に向けて拡開する形状を有する下方部分とを有し、
該下方部分は、その幅方向一側部と他側部とを連結することにより前記鉢の形状と相補的な形状を作ることができ、
前記上方部分と、前記鉢の内面と対面する前記下方部分との間に、周方向に延びる易切断線が設けられ、
前記上方部分の上部に、指を係合させることのできる指係合部が形成されていることを特徴とする鉢植え植物用のラッピングシート。
【請求項３】
前記上方部分に易切断線で囲まれた切り取り部分が形成され、
該切り取り部分を切り離すことにより、該切り取り部分で前記鉢植え植物の鉢受け皿が構成されると共に、前記ラッピングシートの上方部分に前記指係合部が形成される、請求項１に記載の鉢植え植物用のラッピングシート。
【請求項４】
前記上方部分に易切断線で囲まれた切り取り部分が形成され、
該切り取り部分を切り離すことにより、該切り取り部分で前記鉢植え植物の鉢受け皿が構成される、請求項２に記載の鉢植え植物用のラッピングシート。
【請求項５】
前記切り取り部分に折り目が形成され、
該折り目に従って折ることにより上方に開放したボックス状の鉢受け皿が形成され、
該鉢受け皿の上に前記鉢植え植物を置くことができる、請求項３又は４に記載の植物用のラッピングシート。
【請求項６】
前記ラッピングシートの下端縁に切欠きが形成されている、請求項５に記載の鉢植え植物用のラッピングシート。
【請求項７】
前記下方部分の一側部に形成され、上下方向に延びるスリットと、
前記下方部分の他側部に形成され、前記スリットに挿入されるリップとを有し、
該リップの基部の上端と下端に切れ込みが形成されている、請求項１〜６のいずれか一項に記載の鉢植え植物用のラッピングシート。
【発明の詳細な説明】
【技術分野】
【０００１】
本発明は鉢植え植物（例えば鑑賞植物）を包装するラッピングシートに関する。
【背景技術】
【０００２】
鉢植え植物は、スーパマーケット、ＤＩＹ、大型ショッピングセンタ等の大型店舗でも販売されることが多く、流通経路での花、葉、枝、茎などの損傷を防止するために園芸場の出荷段階で鉢植え植物を包装又は梱包して欲しいという要請がある。
【０００３】
特許文献１は、鉢を含めて鉢植え植物を全体的に包囲することのできる円筒状の合成樹脂フィルムを用意し、鉢を包囲する下方部分をヒートシュリンクさせて当該下方部分を鉢の外周面に密着させることを提案している。この特許文献１のラッピングフィルムは、植物を包囲している上方部分に外力が加わったときに容易にフィルムが変形するため植物の保護機能は限定的である。
【０００４】
鉢植え植物を保護するには、ある程度の腰のある材料で包囲するのが好ましい。特許文献２は、鉢の外形形状と相補的なトレー形状の下方部分と、植物を包囲するボックス状の上方部分とを備え、この上方部分の頂部に取っ手が一体的に形成された包装具を提案している。この特許文献２の提案は、外部から力が加わったとしてもボックス状の上方部分で植物に直接的に外力が加わるのを防止できる、という利点がある。
【先行技術文献】
【特許文献】
【０００５】
【特許文献１】特開２００８−８１１６６号公報
【特許文献２】特開２００４−５１１４１号公報
【発明の概要】
【発明が解決しようとする課題】
【０００６】
本願発明者は、大型ショッピングセンタなどで鉢植え植物を購入したときの消費者の要望をヒヤリングし、また、実際に消費者の行動を観察したときに、鉢植え植物の鉢の部分を手にしてレジまで行き、レジで精算した後、レジ袋に入れて車まで運ぶことが多い。そして、家に戻った後、レジ袋から鉢植え植物を取り出して適当な所まで運ぶのに鉢の部分を把持することになる。この一連の消費者の行動で問題になるのが手の汚れである。鉢植え植物の包装で留意すべき点として、次の項目をリストアップすることができる。
【０００７】
（１）安価であること；
（２）簡単に包装できること（包装の容易性）；
（３）一寸した外力から植物を保護できること（保護機能）；
（４）鉢に手を触れることなく鉢植え植物を手軽に持ち運ぶことができること（持ち運び機能）。
【０００８】
この観点から特許文献１の発明を評価すると、安価で且つ包装の容易性を備えているものの保護機能と持ち運び機能が欠けている。特許文献２の発明は、保護機能と持ち運び機能を備えているものの、必ずしも安価であるとは言い難く、また、簡単に包装できるとは言い難い。
【０００９】
本発明は、鉢植え植物の包装に関し、比較的安価に製造でき、包装の容易性、保護機能、持ち運び機能を備えたラッピングシートを提供することにある。
【課題を解決するための手段】
【００１０】
上記の技術的課題は、本発明の一つの観点によれば、
鉢植え植物用の上方に向けて拡開した鉢を受け入れることのできる筒状のラッピングシートであって、
上方に拡開した筒状の形状を有し、
前記鉢の上端縁から拡開しながら上方に延びて植物の周囲を包囲する上方部分と、
前記鉢に対応して位置し、上方に向けて拡開する形状を有する下方部分とを有し、
前記上方部分と前記下方部分との間に、周方向に延びる易切断線が設けられ、
前記上方部分の上部に、指を係合させることのできる指係合部が形成されていることを特徴とする鉢植え植物用ラッピングシートを提供することにより達成される。
【００１１】
上記の技術的課題は、本発明の他の観点によれば、
鉢植え植物用の上方に向けて拡開した鉢の内面形状と相補的な立体形状を作ることのできるラッピングシートであって、
前記鉢の上端縁から拡開しながら上方に延びて植物の周囲を包囲することのできる上方部分と、
前記鉢に対応して位置し、上方に向けて拡開する形状を有する下方部分とを有し、
該下方部分は、その幅方向一側部と他側部とを連結することにより前記鉢の形状と相補的な形状を作ることができ、
前記上方部分と、前記鉢の内面と対面する前記下方部分との間に、周方向に延びる易切断線が設けられ、
前記上方部分の上部に、指を係合させることのできる指係合部が形成されていることを特徴とする鉢植え植物用ラッピングシートを提供することにより達成される。
【００１２】
この他の観点の発明によれば、ラッピングシートの下方部分を鉢の内側に位置させる、つまり鉢の内周面と植物の根（土壌）との間にラッピングシートの下方部分が配置される。
【００１３】
本発明の好ましい実施形態では、ラッピングシートの上方部分に易切断線で囲まれた切り取り部分が形成され、該切り取り部分を切り離すことにより、該切り取り部分で前記鉢植え植物の鉢受け皿を作ることができる。
【００１４】
この実施形態によれば、鉢植え植物を購入した消費者は、鉢植え植物を包囲しているラッピングシートを取り外して、このラッピングシートを廃棄するときに、その一部の切り取り部分を使って鉢植え植物を置くための鉢受け皿を作ることができるため、ラッピングシートの有効利用が可能となる。ラッピングシートの下方部分を鉢の外側に位置させてある場合には、この下方部分を残した状態で上方部分だけを廃棄してもよい。下方部分に印刷により意匠を施すことで鉢植え植物の鉢の部分の見栄えを高めることも可能である。
【図面の簡単な説明】
【００１５】
【図１】第１実施例のラッピングシートの展開図である。
【図２】図１のラッピングシートを組み立てて上方に向けて拡開した筒状の形状のラッピングシートの正面図である。
【図３】第１実施例のラッピングシートの第１の適用例を示す図であり、上方に向けて拡開した筒状のラッピングシートを植物と鉢の間に介在させることにより鉢植え植物を包装した状態を示す図である。
【図４】図３に対応して、ラッピングシートで包装した鉢植え植物を指で持ち上げた状態を示す図である。
【図５】第１実施例のラッピングシートの第２の適用例を示す図であり、上方に向けて拡開した筒状のラッピングシートの中に鉢植え植物を入れて鉢植え植物を包装した状態を示す図である。
【図６】図５に対応して、ラッピングシートで包装した鉢植え植物を指で持ち上げた状態を示す図である。
【図７】第２実施例のラッピングシートの展開図である。
【図８】第２実施例のラッピングシートに形成された切り取り部分をラッピングシートから取り去って、この切り取り部分を組み立てることで鉢受け皿を作ることができるのを説明するための図である。
【図９】第２実施例のラッピングシートで包囲した鉢植え植物を鉢受け皿に載せて陳列することを説明するための図である。
【図１０】第２実施例の変形例のラッピングシートの展開図である。
【発明を実施するための形態】
【実施例】
【００１６】
以下に、添付の図面に基づいて本発明の好ましい実施例を説明する。
【００１７】
第１実施例（図１、図２）：
図１、図２は、第１実施例のラッピングシートを示す。図１はラッピングシートの展開図であり、図２はラッピングシートを組み立てた後の状態を示す。
【００１８】
図１、図２を参照して、ラッピングシート１は一枚のシートで構成されている。ラッピングシート１は合成樹脂製であり、この実施例では無色透明であるが、薄いピンク色、薄い青色など任意の色を有していてもよい。ラッピングシート１は、フィルムのような柔軟性は無いが、手で丸めることのできる可撓性を有し、また、手を離した途端に元の平らな形状に戻る自己復元性を有している。
【００１９】
展開した状態のラッピングシート１を示す図１から最も良く分かるように、ラッピングシート１は、扇状の下方部分２と、任意の輪郭形状であってよい上方部分４とを有し、下方部分２と上方部分４との間の境界は易切断線としてのミシン目６で構成されている。このミシン目６と下方部分２の下端縁は上方に向けて湾曲したラインで構成されているが、この湾曲ラインの曲率は、ラッピングシート１を筒状に丸めたときにミシン目６が鉢１０（図２）の上端縁に沿って円周方向に延びるラインとなるように設定されている。
【００２０】
下方部分２の一側部には上下方向に延びるスリット１２が形成され、これに幅方向に対抗するする他側部には、側縁から突出したリップ１４が形成され、これらスリット１２とリップ１４は下方部分２を上方に向けて拡開した筒形状にするための連結部を構成している。リップ１４は上下方向に延び、その上端部、下端部には、下方部分２の本体との境界つまりリップ１４の基部に第１、第２の切れ込み１４ａ、１４ｂが形成されている。この第１の切れ込み１４ａの端と第２の切れ込み１４ｂの端との間の間隔Ｌ１はスリット１２の長さ寸法Ｌ２と等しい（Ｌ１＝Ｌ２）。
【００２１】
ラッピングシート１の上方部分４には、任意であるが複数の通気孔２０が形成され、また、一つの指係合部２２が形成されている。この指係合部２２は切り込みによって上方部分４の上部、好ましくは上方部分４の上端部に形成されている。通気孔２０は図示の例では円形開口で構成されているが、その形状は長方形であってもよいし、例えば星形、ハート形など任意の形状を採用することができる。
【００２２】
第１実施例の第１適用例（図３、図４）：
ラッピングシート１を組み立てて筒状の形態となった状態を示す図２を参照して、ラッピングシート１は、これを丸めてリップ１４をスリット１２に挿入することで、上方に向けて拡開した筒状のラッパ状の形状になり、下方部分２で形成されるミシン目６よりも逆切頭円錐状の部分は鉢１０の内周面の上方に向けて拡開した形状と相補的である。すなわち、上方に向けて拡開した筒状の立体形状になったラッピングシート１の円周方向に延びるミシン目６よりも下の部分は、その径が鉢１０の内周面の径と実質的に同じであり、また、傾斜角度が、鉢１の内周面の上下方向の傾斜角度と実質的に同じである。換言すれば、ラッピングシート１を組み立てたときに、その立体形状の下方部分２が、上方に向けて拡開した鉢１０の側壁の傾斜角度及び内周面の形状と同じになるように設計されている。したがって、例えば横断面が多角形の上方に向けて拡開した鉢を対象にラッピングシート１を設計するときには、ラッピングシート１を立体形状にしたときに、ラッピングシート１の下方部分２の横断面が多角形となるように上下方向に延びる折り目誘導線をラッピングシート１の幅方向に間隔を隔てて複数設ければよい。
【００２３】
園芸場で出荷する際、組み立てて立体形状にしたラッピングシート１を挿入した出荷用の鉢１０を用意する。また、育成用の鉢から植物を取り出して、この植物を出荷用の鉢１０に移し替える。これにより、出荷用の鉢１０と植物の根の部分に付着している土との間にラッピングシート１が挟み込まれた状態になり、また、ラッピングシート１の上方部分４が植物の地上露出部分の周囲を囲んだ状態になる。この状態を図３に図示してある。図中、参照符号３０は植物を示す。
【００２４】
図３に図示した状態のラッピングシート１で包囲した鉢植え植物ＰＰは、この状態で搬送されたショッピングセンタなどに陳列される。比較的腰のあるラッピングシート１で植物の周囲が包囲されているため、例えば花付きの植物の場合に搬送中の外力で花落ちしてしまう事故を防止することができる。また、陳列中、隣接する鉢植え植物ＰＰの花などが互いに絡み合うのをラッピングシート１によって防止することができる。すなわち、陳列の際に鉢植え植物ＰＰを包囲するラッピングシート１は、隣接する鉢植え植物ＰＰとの仕切り壁として機能する。
【００２５】
消費者が気に入って購入を決めたとき、ラッピングシート１の上端部に形成されている指係合部２２に指Ｆを係合させてラッピングシート１を持ち上げることで鉢植え植物ＰＰをハンドルすることができる。一本の指Ｆを使って持ち上げたときの状態を図４に図示してある。図４から分かるように、指Ｆで鉢植え植物ＰＰを持ち上げると、ラッピングシート１の上端部に指係合部２２が形成されていることから、鉢植え植物ＰＰは斜めに傾いた状態なる。そして、鉢１０の内周面の一部に植物３０及び土の荷重が偏在して加わり、これにより鉢１０の内周面と植物３０の根及び土との間に介在しているラッピングシート１の下方部分２の一部が鉢１０と植物３０（根及び土）とで挟持された状態になって、ラッピングシート１が鉢１０から抜け出すことが阻止される。
【００２６】
つまり、一本の指Ｆでラッピングシート１の上端部を持ち上げることで鉢植え植物ＰＰが斜めに傾斜した姿勢となり、そして、鉢植え植物ＰＰが傾いた姿勢となることでラッピングシート１の下方部分２の一部が鉢１０と植物３０（根及び土）とで挟持された状態となる。これにより、ラッピングシート１が鉢１０から抜け出すことなく、鉢植え植物ＰＰを指Ｆでハンドルすることができる。
【００２７】
したがって、消費者は気に入った鉢植え植物ＰＰを購入するときには、ラッピングシート１の指係合部２２に指Ｆを係合させ、そして、この指Ｆでラッピングシート１を持ち上げることにより、鉢１０に手を触れることなくラッピングシート１と一緒に鉢植え植物ＰＰを持ち上げて例えばレジカゴに入れることができる。また、家に持ち帰った鉢植え植物ＰＰを同じように指Ｆで持ち上げて所定の場所に鉢植え植物ＰＰを置くことができる。したがって、その際に鉢１０に手を触れる必要は無い。所定の場所に鉢植え植物ＰＰを置いたら、ラッピングシート１のミシン目６を手で切断したラッピングシート１の上方部分４を切り離して取り除くことで、ラッピングシート１の下方部分２は鉢１０の中に残っているものの、外観上、鉢植え植物ＰＰからラッピングシート１の存在を無くすることができる。ラッピングシート１の上方部分４を取り去る作業性を高めるため、図１から最もよく分かるように、上方部分４の一側縁から突出する把持用リップ２８をミシン目６の近傍に設けるのがよい。
【００２８】
図４を再び参照して、ラッピングシート１の指係合部２２に指Ｆを係合させてラッピングシート１を持ち上げたときに、リップ１４がスリット１２から抜け出すとラッピングシート１が筒状の状態を維持できなくなり、これによりラッピングシート１が鉢１０から抜け出してしまう可能性がある。これに対して、実施例のラッピングシート１にあっては、リップ１４の上下方向長さに対してスリット１２の長さ寸法が小さく、リップ１４の上端部と下端部に第１、第２の切れ込み１４ａ、１４ｂが設けられていることで、リップ１４は撓み変形しながらスリット１２を通過し、リップ１４がスリット１２を通過した後はリップ１４が撓み変形しない限り、リップ１４がスリット１２から抜け出すことはできない。リップ１４は植物３０の根（土壌）と鉢１０との間に挟まれていることから、撓み変形できない状態にある。したがって、指係合部２２に指Ｆを係合させてラッピングシート１を持ち上げたときにリップ１４がスリット１２から抜け出ることができず、これによりラッピングシート１を指Ｆで持ち上げたとしてもラッピングシート１は筒状の形状を保つことができる。
【００２９】
第１実施例の第２適用例（図５、図６）：
上述した第１適用例では、鉢１０と植物３０の根（土壌）との間にラッピングシート１の下方部分２を介在させることにより鉢植え植物ＰＰを包装したが、この第２適用例では、図５、図６に示すように、筒状のラッピングシート１（図２）の上方から鉢植え植物ＰＰを挿入することで鉢植え植物ＰＰを包装することを提案するものである。
【００３０】
図５を参照して、筒状のラッピングシート１は上方に向けて拡開した筒状の形状を有することから、上方に向けて拡開した鉢１０を含む鉢植え植物ＰＰを上から挿入することで簡単に包装でき、また、ラッピングシート１から鉢植え植物ＰＰが抜け落ちてしまう虞はない。勿論、鉢１０が上方に拡開した形状でなくてもよい。例えば筒状の鉢であっても、下方部分２の下端部の断面積よりも大きな断面積を備えた鉢であれば、鉢植え植物ＰＰを上方から挿入することで筒状のラッピングシート１の下方部分２に鉢１０を係止させることができる。
【００３１】
また、この第２の適用例であれば、鉢１０の材料は合成樹脂であってもよいし、重量物である陶器の鉢であってもよい。また、鉢１０の断面形状は円形であってもよいし多角形であってもよい。また、上方に拡開した形状の鉢１０に適用する場合には、鉢１０の径及び上方に向けて拡開する側壁の傾斜角度の自由度は第１適用例よりも大きい。
【００３２】
この第２適用例にあっても、指係合部２２に指Ｆを引っ掛けてラッピングシート１を持ち上げることにより鉢植え植物ＰＰをハンドルできる。また、ラッピングシート１の指係合部２２を利用して、鉢植え植物ＰＰを壁に吊す陳列も可能である。すなわち、壁にフックなどの突起を設け、この突起に指係合部２２を引っ掛けることで、鉢植え植物ＰＰを壁に吊した状態で陳列することができる。更に、天井から吊した例えば紐の下端にフックを設け、このフックに指係合部２２を引っ掛けることで、鉢植え植物ＰＰを天井から吊した状態で陳列することができる。
【００３３】
この第２適用例にあっては、ラッピングシート１の下方部分２が鉢１０の外側に位置するため、この下方部分２にデザイン性のある色彩、模様を印刷することにより、鉢１０の見栄えを良くすることができる。また、消費者は、持ち帰った鉢植え植物ＰＰを花壇や家の中に置くときに、鑑賞のために上方部分４をミシン目６で下方部分２から切り離し、下方部分２を残すようにしてもよい。これによれば、鉢１０の回りはラッピングシート１の下方部分２で囲まれた状態となり、この下方部分２に印刷した模様や色彩を鉢植え植物ＰＰと一緒に楽しむことができる。上方部分４を下方部分２からミシン目６に従って切断する作業を容易にするために図１に示す摘み部２８をラッピングシート１の上方部分４の下端部に設けるのがよい。
【００３４】
第２実施例（図７〜図９）：
図７、図８は第２実施例のラッピングシート４０を示し、図７は第２実施例のラッピングシート４０の展開図であり、図８は、消費者がラッピングシート４０の上方部分４の一部（後に説明する切り取り部分４６）を使って鉢受け皿４２を作る例を説明するための図であり、図９は第２実施例の適用例を示す図である。
【００３５】
図７を参照して、第２実施例のラッピングシート４０は、その上方部分４に易切断線（ミシン目）４４で囲まれた切り取り部分４６を備え、この切り取り部分４６を切り離すことで空所５０が形成される（図８）。切り取り部分４６には折り目４８が形成され、この折り目４８に従って切り取り部分４６を折ることにより上方に開放した矩形のボックス状の鉢受け皿４２を作ることできる。消費者は、家に持ち帰ってラッピングシート４０を取り除くときに、ラッピングシート４０の上方部分４から切り取り部分４６を切り離してボックス状の鉢受け皿４２を作ることができる。そして、この鉢受け皿４２の上に鉢植え植物ＰＰを載せて鉢植え植物ＰＰを鑑賞することができる。ラッピングシート４０を除去する際に、鉢１０の周囲に位置する下方部分２を残し、上方部分４だけ取り除いてもよい。このことを考慮に入れた色彩や模様を下方部分２に印刷することで、ラッピングシート４０の下方部分２で鉢１０を包囲した状態で鉢植え植物ＰＰを鑑賞することができる。
【００３６】
第１実施例の第１適用例（図３）のように、上端に向けて拡径するラッピングシート４０の下方部分２を鉢１０の内側に位置させてもよいが、この第２実施例の好ましい適用例として、図９から分かるように、ラッピングシート４０の下方部分２が鉢１０の外側に位置している。換言すると、第１実施例と同様にラッピングシート４０を組み立てて筒状の形状にした後に、前述した第１実施例の第２適用例（図５、図６）と同様に、筒状のラッピングシート４０の上方から鉢植え植物ＰＰを挿入することにより、鉢１０を含む鉢植え植物ＰＰは筒状のラッピングシート４０で包囲された状態でラッピングされる。
【００３７】
ラッピングシート４０の上方部分４に形成された切り取り部分４６に折り目４８が形成され、消費者は、この折り目４８に従って折ることで立体形状の鉢受け皿４２を作ることができるが、鉢受け皿４２の変形例として、例えば、コースターのように円形、四角形、六角形などの多角形の平面形状であってもよいし、例えば子豚の顔の外径輪郭を平面的に形取ったキャラクタであってもよく、好ましくはキャラクタの目や鼻などを印刷するのがよい。
【００３８】
第２実施例のラッピングシート４０は、前述した第１実施例のラッピングシート１と同様に、その上方部分４の上端部に切れ込みによって形成された指係合部２２を有している。消費者は、第１実施例と同様に、指係合部２２に指Ｆを係合させてラッピングシート４０を持ち上げることで鉢植え植物ＰＰをハンドルすることができる。そして、家に持ち帰った後に、鉢植え植物ＰＰの鉢１０の周囲に位置している下方部分２を残すのであれば、このミシン目６にしたがって下方部分２から上方部分４を切り離し、そして、更にこの上方部分４から切り離した切り取り部分４６を組み立てて鉢受け皿４２を作ることで、廃棄する上方部分４の一部を鉢受け皿４２として有効活用することができる。
【００３９】
下方部分２を残した場合、鉢植え植物ＰＰはその鉢１０の部分がラッピングシート４０の下方部分２によって覆い隠された状態となるが、下方部分２に印刷した模様や色彩によって鉢植え植物ＰＰの鉢１０の部分の見栄えを高めることができる。勿論、鉢植え植物ＰＰからラッピングシート４０の全てを取り除いた状態で鉢植え植物ＰＰを鑑賞しても良く、その場合も、ラッピングシート４０の全てを廃棄するのではなく、ラッピングシート４０から切り離した切り取り部分４６を組み立てて鉢受け皿４２を作ることで、廃棄するラッピングシート４０の一部を鉢受け皿４２として有効活用することができる。
【００４０】
ラッピングシート４０に切り取り部分４６を形成し、この切り取り部分４６を組み立てることで鉢受け皿４２を作ることができることから、消費者は、鉢植え植物ＰＰを購入するときに、この鉢植え植物ＰＰと一緒にこれを置くための皿を購入する必要が無い。
【００４１】
少なくともラッピングシート４０の上方部分４は、鉢植え植物ＰＰを購入した消費者によって廃棄される存在であることから、その一部を鉢受け皿４２として有効活用する考えは資源の有効活用の観点から望ましい。この観点を主眼に置いてラッピングシート４０をみたときに指係合部２２を省いても良い。ラッピングシート４０から指係合部２２を省いたとしても、鉢植え植物ＰＰはラッピングシート４０で包囲されているため、消費者はこれを購入するときに、ラッピングシート４０の下方部分２を介して鉢１０を持ち上げるので手を汚すことはない。
【００４２】
第２実施例の変形例（図１０）：
図１０は、上述した第２実施例(図７〜図９)の変形例を示し、この第２実施例と同じ要素には同じ参照符号を付すことにより、その説明を省略し、以下に、図１０に図示のラッピングシート５０の特徴部分を説明する。
【００４３】
前述した第２実施例のラッピングシート４０の切り取り部分４６は、ラッピングシート４０の上方部分４の中央に形成してあるが、変形例のラッピングシート５０にあっては、その上方部分４の上端縁の一部を共有するようにして切り取り部分４６が形成されている。切り取り部分４６をラッピングシート５０の上方にオフセットして形成し、切り取り部分４６の輪郭線の一部をラッピングシート５０の上端縁と共有させることにより、切り取り部分４６をラッピングシート５０から容易に切り取ることができる。
【００４４】
前述した第２実施例のラッピングシート４０の上方部分４には指係合部２２が上記の切り取り部分４０とは異なる部分に形成されているが、変形例のラッピングシート５０にあっては、切り取り部分４に指係合部２２が形成されている。勿論、このラッピングシート５０にあっても、前記第２実施例と同様に、切り取り部分４とは異なる部分に指係合部２２を形成してもよい。
【００４５】
前述した第２実施例のラッピングシート４０の上方部分４には、例示的に円形の開口で構成された複数の通気孔２０が互いに間隔を隔てて点在した状態で形成されているが、変形例のラッピングシート５０にあっては、上下方向に延びるスリット５２が複数形成され、このスリット５２によって実質的に通気機能を付与するようになっている。好ましくは、図１０から理解できるように、スリット５２の上端及び下端に横方向に延びる切れ込みが形成され、これにより、ラッピングシート５０を円筒状に組み立てたときに、スリット５２の部分がフラップ状に筒状のラッピングシート５０から外方に突出した状態となり、これにより縦長の通気窓が形成される。
【００４６】
前述した第２実施例のラッピングシート４０では、これを組み立てて筒状の立体形状にしたときに、その下端縁が円周方向に平面的に延びる略円形となるが、変形例のラッピングシート５０にあっては、下端縁に少なくとも一つの切欠き５４、好ましくは間隔を隔てて複数の切欠き５４が形成されている。この切欠き５４によって、鉢植え植物ＰＰの鉢１０の外側を包囲するラッピングシート５０の下方部分２の下端縁の上記切欠き５４を水はけ口として機能させることができる。勿論、下方部分２の下端縁に切欠き５４を設ける構成は、前述した第１、第２の実施例にも適用可能であるのは言うまでもないことである。
【００４７】
この変形例のラッピングシート５０にあっても、廃棄される上方部分４の一部を鉢受け皿４２として有効する考えを主眼に置いてラッピングシート５０をみたときに指係合部２２を省いても良い。この変形例のラッピングシート５０から指係合部２２を省いたとしても、鉢植え植物ＰＰはラッピングシート５０で包囲されているため、消費者はこれを購入するときに、ラッピングシート５０の下方部分２を介して鉢１０をハンドルできるので手を汚すことはない。
【００４８】
図１、図７、図１０に図示の第１、第２の実施例並びに変形例のラッピングシート１、４０、５０は、これを組み立てて筒状の形状（図２）にしたときに、その立体形状を維持するためにリップ１４をスリット１２によって係止すると共に第１、第２の切れ込み１４ａ、１４ｂによってリップ１４の抜け出しを防止する構成を採用したが、ラッピングシート１、４０、５０の少なくとも下方部分２の一側部と他側部とを接着剤や熱溶着によって連結させるようにしてもよい。ラッピングシート１、４０、５０は展開した状態ではフラットな平面形状となるため、ラッピングシート１を保管するときに複数のラッピングシート１、４０、５０を互いに積み重ねることができ、僅かなスペースで大量のラッピングシート１を保管することができる。
【００４９】
これに対して、出荷よりも遙かに早い段階又は販売店でラッピングシート１、４０、５０の下方部分２を予め接着剤で連結して筒状に形作るのは、この筒状の立体形状のラッピングシート１を保管するために大きなスペースが必要となる。出荷の直前又は陳列する際にラッピングシート１、４０、５０を立体形状に形作るのに、ラッピングシート１、４０、５０の下方部分２の一側部と他側部との連結のために例えば両面接着テープを採用してもよい。
【００５０】
図１、図７、図１０に図示の第１、第２の実施例並びに変形例のラッピングシート１、４０、５０は、合成樹脂製シートから作られているが、ラッピングシート１、４０、５０を厚紙で作るようにしてもよい。ラッピングシート１、４０、５０は、その表面に印刷を施すことにより、園芸場の住所や屋号、鉢植え植物ＰＰの学術名や販売店の名前などをラッピングシート１、４０、５０に表示することができる。もちろん、ラッピングシート１、４０、５０に模様や色彩を印刷することによりラッピングシート１の意匠性を高めることができる。
【符号の説明】
【００５１】
１    第１実施例のラッピングシート
４０    第２実施例のラッピングシート
５０    第２実施例の変形例のラッピングシート
２    ラッピングシートの下方部分
４    ラッピングシートの上方部分
６    ミシン目
１０    鉢
１２    スリット
１４    リップ
１４ａ  上端部の第１の切れ込み
１４ｂ  下端部の第２の切れ込み
２２    指係合部
４２    鉢受け皿
４６    切り取り部分
４８    折り目
５４    切欠き
ＰＰ    鉢植え植物
Ｆ    指
【図１】
2013136413.tif 000003
【図２】
2013136413.tif 000004
【図３】
2013136413.tif 000005
【図４】
2013136413.tif 000006
【図５】
2013136413.tif 000007
【図６】
2013136413.tif 000008
【図７】
2013136413.tif 000009
【図８】
2013136413.tif 000010
【図９】
2013136413.tif 000011
【図１０】
2013136413.tif 000012